(57)【特許請求の範囲】
【請求項１】
輝度信号と色信号とコンポジット信号からなる標準的画質の映像信号を生成する標準画質映像信号処理手段と、
高画質のコンポーネント映像信号を生成する高画質映像信号処理手段と、
形状と端子配列が同じ端子部を備えた標準画質用のケーブルと高画質用のケーブルの何れかのケーブルの該端子部が選択的に装着され、該端子部を介して上記標準的画質の映像信号と上記高画質のコンポーネント映像信号とを接続されたケーブルに選択的に出力する出力手段と、
上記ケーブルの端子部の識別用端子とグランド端子の間に接続された抵抗素子の抵抗値が所定の抵抗値である場合には上記出力手段に接続されたケーブルが上記高画質用のケーブルであると判別し、上記抵抗値が０である場合には上記出力手段に接続されたケーブルが上記標準画質用のケーブルであると判別する判別手段と、
上記判別手段の判別結果に基づいて上記標準画質映像信号処理手段と上記高画質映像信号処理手段とを切り換える第１の切換手段と、
上記出力手段より上記標準的画質の映像信号と上記高画質のコンポーネント映像信号とが選択的に出力できるようにする第２の切換手段とを備え、
上記判別手段が上記出力手段に接続されたケーブルが上記高画質用のケーブルであると判別したとき、上記第１の切換手段は、上記高画質映像信号処理手段を選択し、上記第２の切換手段は、上記出力手段が上記高画質のコンポーネント映像信号を出力できるようにする映像機器。
【請求項２】
上記高画質のコンポーネント映像信号は、輝度信号と第１の色信号と第２の色信号とからなる請求項１記載の映像機器。
【請求項３】
上記標準画質の映像信号の輝度信号と上記高画質のコンポーネント映像信号の輝度信号とは、同じ端子から出力される請求項２記載の映像機器。
【請求項４】
上記高画質のコンポーネント映像信号の第１の色信号は、Ｐｂ信号であり、
上記標準画質の映像信号の色信号と上記高画質のコンポーネント映像信号の第１の色信号とは、同じ端子から出力される請求項３記載の映像機器。
【請求項５】
上記高画質のコンポーネント映像信号の第２の色信号は、Ｐｒ信号であり、
上記標準画質の映像信号のコンポジット信号と上記高画質のコンポーネント映像信号の第２の色信号とは、同じ端子から出力される請求項４記載の映像機器。
【請求項６】
上記出力手段の映像信号の出力端子とオーディオ信号の出力端子とは、出力端子列の相対する側に設けられている請求項１記載の映像機器。
【請求項７】
所定形状の端子部が出力手段に装着されたケーブルの種類を判別して、標準画質映像信号処理手段で生成される輝度信号と色信号とコンポジット信号からなる標準的画質の映像信号と、高画質映像信号処理手段で生成される高画質のコンポーネント映像信号とを出力手段に選択的に出力する出力切換方法において、
上記出力手段は、形状と端子配列が同じ端子部を備えた標準画質用のケーブルと高画質用のケーブルの何れかのケーブルの該端子部が選択的に装着され、該端子部を介して上記標準的画質の映像信号と上記高画質のコンポーネント映像信号とを接続されたケーブルに選択的に出力するものであり、
上記ケーブルの端子部の識別用端子とグランド端子の間に接続された抵抗素子の抵抗値が所定の抵抗値である場合には上記出力手段に接続されたケーブルが上記高画質用のケーブルであると判別し、上記抵抗値が０である場合には上記出力手段に接続されたケーブルが上記標準画質用のケーブルであると判別するステップと、
上記判別手段が上記出力手段に接続されたケーブルが上記高画質用のケーブルであると判別したとき、上記標準画質映像信号処理手段と上記高画質映像信号処理手段とのうち、上記高画質映像信号処理手段を選択するステップと、
上記出力手段より上記高画質のコンポーネント映像信号を出力できるように切り換えるステップとを有することを特徴とする出力切換方法。
【発明の詳細な説明】
【技術分野】
【０００１】
本発明は、出力手段に接続されたケーブルの種類を判別することができるビデオカメラ装置といった映像機器及び映像機器の出力切換方法に関する。
【背景技術】
【０００２】
映像機器であるビデオカメラ装置には、高画質で撮影を行うことができるＨＤビデオカメラ装置と標準的画質で撮影を行うことができるＳＤビデオカメラ装置とがある。
【０００３】
ＨＤビデオカメラ装置では、テレビジョン受像機等のモニタに撮影した映像を出力できるように、出力部が設けられている。具体的に、ＨＤビデオカメラ装置では、輝度信号（Ｓ−Ｙ）と色信号（Ｓ−Ｃ）とコンポジット信号（ＶＩＤＥＯ）からなる標準的画質の映像信号（ＳＤ映像信号）とＲチャンネルとＬチャンネルのオーディオ信号を出力することができるＡ／Ｖ出力端子と、輝度信号（Ｙ）と第１の色信号（Ｃｂ／Ｐｂ）と第２の色信号（Ｃｒ／Ｐｒ）とからなる高画質のコンポーネント映像信号（ＨＤ映像信号）を出力するコンポーネント出力端子とが設けられている。
【０００４】
このＨＤビデオカメラ装置とモニタとを接続する場合、第１の方法として、ケーブルをＡ／Ｖ出力端子に接続する方法がある。この場合、１本のケーブルで、モニタ装置に対して、ＳＤ映像信号を出力し、モニタ装置にＳＤ画質の映像を表示し、音声を出力することができる。また、第２の方法として、ケーブルをコンポーネント出力端子に接続する方法がある。この場合、映像用のケーブルをコンポーネント出力端子に接続し、オーディオ用のケーブルをＡ／Ｖ出力端子に接続し、２本のケーブルでＨＤ映像信号をモニタに表示し、音声を出力することができる。
【０００５】
ところで、ビデオカメラ装置では、更なる部品点数の削減と更なる小型化が求められている。そこで、ビデオカメラ装置の出力手段を構成するジャックを１つにして、Ａ／Ｖ出力＆コンポーネント出力端子とすることができる。しかしながら、Ａ／Ｖ出力＆コンポーネント出力端子において、Ａ／Ｖ出力端子にある端子とコンポーネント出力端子の端子とを、コンポジット映像信号用の端子に足し合わせて設けると、端子数が多くなり、Ａ／Ｖ出力＆コンポーネント出力端子のジャックが大きくなってしまう。
【０００６】
また、ＳＤビデオカメラ装置では、ＨＤビデオカメラ装置と異なり、輝度信号（Ｓ−Ｙ）と色信号（Ｓ−Ｃ）とコンポジット信号（ＶＩＤＥＯ）からなるＳＤ映像信号とＲチャンネルとＬチャンネルのオーディオ信号を出力することができるＡ／Ｖ出力端子のみが設けられている。したがって、ＨＤビデオカメラ装置にＡ／Ｖ出力＆コンポーネント出力端子を設けた場合には、１つのジャックのみが設けられた外観となって、ＳＤビデオカメラ装置のＡ／Ｖ出力端子と同じになってしまう。
【０００７】
ところで、コンポーネント出力端子に接続されるケーブルは、ＨＤ映像信号がＳＤ映像信号より帯域幅が広いことに鑑み、広帯域のケーブルが用いられ、Ａ／Ｖ出力端子とは異なるケーブルが用いられている。また、ＨＤ映像信号用のケーブルは、ＨＤ用モニタ装置に接続され、ＳＤ用映像信号用のケーブルは、ＳＤ用モニタ装置に接続される。しかしながら、ＨＤビデオカメラ装置の出力部をＡ／Ｖ出力＆コンポーネント出力端子とした場合には、ＨＤビデオカメラ装置がＳＤ映像信号を出力しているときに、ケーブルがＨＤ用モニタ装置のコンポーネント入力端子に接続されてしまうおそれがある。この場合、ＨＤ用モニタ装置には、ＨＤビデオカメラ装置から出力されたＳＤ映像信号がモニタに正しく表示されなくなってしまう。また、ＳＤビデオカメラ装置の出力部がＨＤ用モニタ装置のコンポーネント入力端子に接続された場合にも、ＳＤビデオカメラ装置から出力されたＳＤ映像信号がモニタに正しく表示されなくなってしまう。
【０００８】
したがって、ＨＤビデオカメラ装置では、Ａ／Ｖ出力端子にある端子とコンポーネント出力端子の共通化、すなわちジャックを共用とし１つとした場合、出力端子に接続されたケーブルの種類を判別し、出力する映像信号を切り換えることが望ましい。また、ＳＤビデオカメラ装置でも、Ａ／Ｖ出力端子がモニタのコンポーネント入力端子に誤って接続されたときには、警告表示を行った方が望ましい。
【０００９】
【特許文献１】特開２００４−５６７１９号公報
【発明の開示】
【発明が解決しようとする課題】
【００１０】
そこで、本発明は、標準的画質の映像信号と高画質のコンポーネント映像信号を出力するに当たって、ジャック等の出力手段を１つにして、装置全体の小型化を図りつつ部品点数の削減を図ることができる映像機器及び映像機器の出力切換方法を提供することを目的とする。
【００１１】
また、本発明は、機器本体に設けられる出力手段を１つにした際にも出力手段を小型にすることができる映像機器及び映像機器の出力切換方法を提供することを目的とする。
【課題を解決するための手段】
【００１４】
本発明に係る映像機器は、上述のような課題を解決すべく、輝度信号と色信号とコンポジット信号からなる標準的画質の映像信号を生成する標準画質映像信号処理手段と、高画質のコンポーネント映像信号を生成する高画質映像信号処理手段と、形状と端子配列が同じ端子部を備えた標準画質用のケーブルと高画質用のケーブルの何れかのケーブルの該端子部が選択的に装着され、該端子部を介して上記標準的画質の映像信号と上記高画質のコンポーネント映像信号とを接続されたケーブルに選択的に出力する出力手段と、上記ケーブルの端子部の識別用端子とグランド端子の間に接続された抵抗素子の抵抗値が所定の抵抗値である場合には上記出力手段に接続されたケーブルが上記高画質用のケーブルであると判別し、上記抵抗値が０である場合には上記出力手段に接続されたケーブルが上記標準画質用のケーブルであると判別する判別手段と、上記判別手段の判別結果に基づいて上記標準画質映像信号処理手段と上記高画質映像信号処理手段とを切り換える第１の切換手段と、上記出力手段より上記標準的画質の映像信号と上記高画質のコンポーネント映像信号とが選択的に出力できるようにする第２の切換手段とを備える。上記判別手段が上記出力手段に接続されたケーブルが上記高画質用のケーブルであると判別したとき、上記第１の切換手段は、上記高画質映像信号処理手段を選択し、上記第２の切換手段は、上記出力手段が上記高画質のコンポーネント映像信号を出力できるようにする。
【００１５】
また、本発明に係る出力切換方法は、所定形状の端子部が出力手段に装着されたケーブルの種類を判別して、標準画質映像信号処理手段で生成される輝度信号と色信号とコンポジット信号からなる標準的画質の映像信号と、高画質映像信号処理手段で生成される高画質のコンポーネント映像信号とを出力手段に選択的に出力する出力切換方法であって、上記出力手段は、形状と端子配列が同じ端子部を備えた標準画質用のケーブルと高画質用のケーブルの何れかのケーブルの該端子部が選択的に装着され、該端子部を介して上記標準的画質の映像信号と上記高画質のコンポーネント映像信号とを接続されたケーブルに選択的に出力するものであり、上記ケーブルの端子部の識別用端子とグランド端子の間に接続された抵抗素子の抵抗値が所定の抵抗値である場合には上記出力手段に接続されたケーブルが上記高画質用のケーブルであると判別し、上記抵抗値が０である場合には上記出力手段に接続されたケーブルが上記標準画質用のケーブルであると判別するステップと、上記判別手段が上記出力手段に接続されたケーブルが上記高画質用のケーブルであると判別したとき、上記標準画質映像信号処理手段と上記高画質映像信号処理手段とのうち、上記高画質映像信号処理手段を選択するステップと、上記出力手段より上記高画質のコンポーネント映像信号を出力できるように切り換えるステップとを有する。
【発明の効果】
【００１８】
本発明によれば、出力手段に接続されたケーブルの種類を判別手段で判別し、判別手段が出力手段に接続されたケーブルが高画質用のケーブルであると判別したとき、標準画質映像信号処理手段と高画質映像信号処理手段とのうち、高画質映像信号処理手段を選択し、出力手段より高画質の映像信号を出力できるように切り換えるようにしたので、標準的画質の映像信号と高画質のコンポーネント映像信号を出力するに当たって、ジャック等の出力手段を１つにして、装置全体の小型化を図りつつ部品点数の削減を図ることができる。また、既存の映像機器と出力手段のインターフェースを同じにできるので、出力手段の大型化を防止することができる。また、ケーブルの種類に応じて正しく映像信号を出力することができる。
【００１９】
また、本発明によれば、出力手段に接続されたケーブルの種類を判別し、出力手段に接続されたケーブルが誤っていると判別したとき、警告データを出力するようにしたので、ユーザに対してケーブルの種類を誤ったことを知らせることができる。
【発明を実施するための最良の形態】
【００２０】
以下、本発明を、ビデオカメラ装置とモニタとをケーブルで接続する場合を例に取り、図面を参照して説明する。
【００２１】
図１では、高画質に映像を撮影することができるＨＤビデオカメラ装置１０が、高画質の映像信号（ＨＤ映像信号）を表示することができるＨＤ用モニタ装置２０に、ＨＤ映像信号を伝送するために用いられるケーブル接続装置３０によって接続される状態を示している。また、標準的画質に映像を撮影することができるＳＤビデオカメラ装置４０が、標準的画質の映像信号（ＳＤ映像信号）を表示することができるＳＤ用モニタ装置５０に、ＳＤ映像信号を伝送するために用いられるケーブル接続装置６０によって接続される状態を示している。高画質に映像を撮影することができるＨＤビデオカメラ装置１０は、ＳＤ映像信号も出力可能であり、この場合、ケーブル接続装置６０を用いてＳＤ用モニタ装置５０にも接続することができる。
【００２２】
以上のように、ＨＤビデオカメラ装置１０は、ＨＤ映像信号とＳＤ映像信号とを出力することができ、このため、ＨＤ映像信号用のケーブル接続装置３０とＳＤ映像信号用のケーブル接続装置６０が、出力する映像信号の種類に応じて選択的に接続されることになる。
【００２３】
また、ＨＤビデオカメラ装置１０では、小型化等を図るために、ＨＤ映像信号用のケーブル接続装置３０とＳＤ映像信号用のケーブル接続装置６０とが接続されるジャック１１が同じものとなっており、１つとなっている。したがって、ＨＤ映像信号用のケーブル接続装置３０とＳＤ映像信号用のケーブル接続装置６０とは、そのプラグも同じものとなっている。ＨＤ映像信号用のケーブル接続装置３０とＳＤ映像信号用のケーブル接続装置６０のプラグの形状が同じになったことに伴って、ＨＤビデオカメラ装置１０からＨＤ映像信号を出力するときに、ＳＤ映像信号用のケーブル接続装置６０が誤って接続されたり、ＳＤ映像信号を出力するときに、ＨＤ映像信号用のケーブル接続装置３０が誤って接続されたりするおそれがある。そこで、ＨＤビデオカメラ装置１０では、接続されたケーブル接続装置の種類を判別する処理が行われ、接続されたケーブル接続装置の種類に合致したＨＤ映像信号又はＳＤ映像信号を出力するようになっている。
【００２４】
ＳＤビデオカメラ装置４０に対しても、ＨＤ映像信号用のケーブル接続装置３０とＳＤ映像信号用のケーブル接続装置６０のプラグの形状が同じになったことに伴って、ＨＤ映像信号用のケーブル接続装置３０が誤って接続されるおそれがある。そこで、ＳＤビデオカメラ装置４０では、接続されたケーブル接続装置の種類を判別する処理を行って、誤ってＨＤ映像信号用のケーブル接続装置３０が接続されたとき、ＳＤビデオカメラ装置４０のビューファインダやモニタにケーブルが間違っている旨の警告を行うことができるようになっている。また、この接続されたケーブル接続装置の種類を判別する処理が行われない従来のＳＤビデオカメラ装置に対して、ＨＤ映像信号用のケーブル接続装置３０が接続されたときであっても、ＨＤ用モニタ装置２０やＳＤビデオカメラ装置４０のビューファインダやモニタに警告を連想させるような例えば赤色のような画面を表示するようになっている。
【００２５】
なお、ＨＤビデオカメラ装置１０やＳＤビデオカメラ装置４０で行われる接続されたケーブルの種類判別は、プラグ内に内蔵されたＩＤによって行われる。詳細は後述するが、ここでは、ＨＤ映像信号用のケーブル接続装置３０のプラグは、ＳＤ映像信号用のケーブル接続装置６０や更に他の種類のケーブルの種類と区別するための抵抗素子が内蔵されており、ＨＤビデオカメラ装置１０やＳＤビデオカメラ装置４０では、この抵抗値を検出して、ケーブルの種類を判別するようになっている。
【００２６】
（１）ＨＤ映像信号用のケーブル接続装置３０の説明
図１乃至図３に示すように、ＨＤビデオカメラ装置１０とＨＤ用モニタ装置２０との接続に用いられるケーブル接続装置３０は、ＨＤ映像信号を伝送するために用いられるケーブルであって、３本の第１乃至第３のケーブル３０１ａ，３０１ｂ，３０１ｃを一列に一体成形した３芯平行の第１のケーブル複合体３０１と、２本の第４及び第５のケーブル３０２ａ，３０２ｂを一列に一体成形した２芯平行の第２のケーブル複合体３０２とを備え、第１のケーブル複合体３０１では、ＨＤ映像信号を伝送するようになっており、第２のケーブル複合体３０２は、オーディオ信号を伝送するようになっている。
【００２７】
第１のケーブル複合体３０１は、ＨＤ映像信号を伝送するものであり、ＨＤ映像信号がＳＤ映像信号より帯域幅が広いことに鑑み、ＳＤ映像信号を伝送するためのケーブル接続装置６０のケーブルより広帯域のケーブルが用いられている。具体的に、ＨＤ映像信号は、輝度信号（Ｙ）と第１の色信号（Ｐｂ）と第２の色信号（Ｐｒ）とから構成されたコンポーネント映像信号となっている。そこで、第１のケーブル複合体３０１を構成する第１のケーブル３０１ａでは、例えば輝度信号（Ｙ）を伝送するようにし、第２のケーブル３０１ｂでは、例えば第１の色信号（Ｐｂ）を伝送するようにし、第３のケーブル３０１ｃでは、例えば第２の色信号（Ｐｒ）を伝送するようにしている。
【００２８】
また、第２のケーブル複合体３０２の第４のケーブル３０２ａでは、Ｌチャンネルのオーディオ信号を伝送するようにし、第５のケーブル３０２ｂでは、Ｒチャンネルのオーディオ信号を伝送するようにしている。
【００２９】
以上のような第１のケーブル複合体３０１と第２のケーブル複合体３０２とは、ＨＤビデオカメラ装置１０のジャック１１と接続する側に、マルチプラグ３０４が設けられ、このマルチプラグ３０４により一体化され、ＨＤ用モニタ装置２０と接続する側に、例えばＲＣＡプラグ３０３が設けられている。すなわち、ＲＣＡの場合、図１に示すように、第１のケーブル複合体３０１の第１乃至第３のケーブル３０１ａ，３０１ｂ，３０１ｃのそれぞれを分離し、第１のケーブル３０１ａにＹプラグ３０３ａを設け、第２のケーブル３０１ｂにＰｂプラグ３０３ｂを設け、第３のケーブル３０１ｃにＰｒプラグ３０３ｃを設けるようにしている。また、第２のケーブル複合体３０２の第４及び第５のケーブル３０２ａ，３０２ｂを分離し、第４のケーブル３０２ａにＬｃｈオーディオプラグ３０３ｄを設け、第４のケーブル３０２ｂにＲｃｈオーディオプラグ３０３ｅを設けるようにしている。
【００３０】
ＨＤビデオカメラ装置１０のジャック１１と接続する側で第１のケーブル複合体３０１と第２のケーブル複合体３０２とを一体化するマルチプラグ３０４は、図２（Ｂ）に示すように、３芯平行の第１のケーブル複合体３０１と２芯平行の第２のケーブル複合体３０２とは、第１のケーブル複合体３０１の第２のケーブル複合体３０２側となる第１のケーブル複合体３０１の第１のケーブル３０１ａと第２のケーブル３０１ｂとの間の谷部３０５ａ及び第２のケーブル３０１ｂと第３のケーブル３０１ｃとの間の谷部３０５ｂに、第２のケーブル複合体３０２の第４及び第５のケーブル３０２ａ，３０２ｂが位置するように配置されて、マルチプラグ３０４によって一体化される。図２（Ｂ）に示すように、第１のケーブル複合体３０１と第２のケーブル複合体３０２とが俵積みされることによって、ケーブル接続装置３０は、ケーブルが５本一列に並べられるときよりも、マルチプラグ３０４の幅を狭くすることができ、例えば外形が縦１０ｍｍ横１０ｍｍ程度の大きさの中に納めることができ、小型化を図ることができる。
【００３１】
また、マルチプラグ３０４の第１のケーブル複合体３０１と第２のケーブル複合体３０２とが導出される背面は、図２（Ｂ）に示すように、周囲に、第１のケーブル複合体３０１と第２のケーブル複合体３０２の周囲を支持する支持部３０７が設けられている。
【００３２】
また、第１のケーブル複合体３０１と第２のケーブル複合体３０２とは、上述のように重ねられたとき、外側に、複数の外側谷部３０８が形成される。そこで、マルチプラグ３０４の背面の周囲に形成された支持部３０７には、連続して、略山形の外側谷部３０８を閉塞する閉塞部３０９が形成されている。閉塞部３０９は、第１のケーブル複合体３０１と第２のケーブル複合体３０２を支持すると共に、マルチプラグ３０４の内部に塵埃等の異物が浸入しないようにする。第１のケーブル複合体３０１と第２のケーブル複合体３０２とは、マルチプラグ３０４から導出された部分では分離されており、それぞれが互いに可撓変位するようになっている。閉塞部３０９は、第１のケーブル複合体３０１や第２のケーブル複合体３０２が過度に曲がりすぎることを防止するようにもしている。
【００３３】
このような、マルチプラグ３０４は、図２乃至図４に示すように、ケース３０６の内部に、第１乃至第５のケーブル３０１ａ，３０１ｂ，３０１ｃ，３０２ａ，３０３ｂが接続される端子部材３１１やこの端子部材３１１を覆うように設けられるシェル３１２が設けられている。
【００３４】
ケース３０６は、マルチプラグ３０４の外筐を構成するものであって、ＰＶＣ（polyvinyl chloride）樹脂等でモールド成形されてなる。このケース３０６は、本体部３０６ａと、この本体部３０６ａの背面側に、第１のケーブル複合体３０１と第２のケーブル複合体３０２とが導出される導出部３０６ｂとが設けられている。本体部３０６ａは、内部に、図４に示すように、第１乃至第３のケーブル３０１ａ，３０１ｂ，３０１ｃと第４及び第５のケーブル３０２ａ，３０２ｂの各ケーブルが接続される端子部材３１１やこの端子部材３１１上に設けられるシェル３１２等が内蔵されている。また、導出部３０６ｂは、複数のスリット３０６ｃが複数設けられており、本体部３０６ａより可撓性を有するように形成されており、本体部３０６ａから導出される第１乃至第３のケーブル３０１ａ，３０１ｂ，３０１ｃと第４及び第５のケーブル３０２ａ，３０２ｂを摩耗等しないように保護している。
【００３５】
端子部材３１１は、図４乃至図７に示すように、一端側に、ＨＤビデオカメラ装置１０のジャック１１に挿入される端子部３１３が設けられ、他端側に、第１乃至第３のケーブル３０１ａ，３０１ｂ，３０１ｃと第４及び第５のケーブル３０２ａ，３０２ｂとを接続するための接続部３１４が設けられている。
【００３６】
端子部３１３は、プラグ部分が略Ｄ字状に形成されており、周囲が、導電性を有するシェル３１２で被覆されている。この端子部３１３は、ケース３０６の前面よりシェル３１２に覆われた状態で突出する部分であり、ＨＤビデオカメラ装置１０のジャック１１に挿入される部分となる。
【００３７】
ここで、端子部３１３のピン配置を図５（Ａ）及び図５（Ｂ）を用いて説明する。この例で、この端子部３１３は、図５（Ａ）に示すように、ピンが５本ずつ２列に合計で１０本設けられている。
（一列目）
１番ピン・・・Ｌチャンネルのオーディオ信号端子
２番ピン・・・ここではブランクであるが、民生用ＶＣＲのコントロール用として用いられるインターフェースであるＬＡＮＣ（Local ApplicatioN Control bus system）の信号端子
３番ピン・・・映像信号用のＧＮＤ端子
４番ピン・・・ここではブランクであるが、ＬＡＮＣの直流電源供給端子
５番ピン・・・第１の色信号（Ｐｂ）端子
（二列目）
６番ピン・・・Ｒチャンネルのオーディオ信号端子
７番ピン・・・プラグＩＤ端子、ここでは、ＨＤ映像信号用のケーブル接続装置３０であることを示す抵抗素子（例えば３３ＫΩ）が接続され、この抵抗素子は、他端がＧＮＤに接続されている。  
８番ピン・・・オーディオ信号用のＧＮＤ端子
９番ピン・・・第２の色信号（Ｐｒ）端子
１０番ピン・・・輝度信号（Ｙ）端子
以上のように、端子部３１３は、オーディオ信号用の端子（１番ピンと６番ピン）を長手方向の一端側に設け、映像信号用の端子（１０番ピン、９番ピン、５番ピン）を長手方向の他端側に設け、出力端子列の相対する側に設け、距離を離すことによって、伝送するオーディオ信号と映像信号とが互いに干渉しないようにしている。
【００３８】
以上のような端子部３１３の反対側に設けられる接続部３１４は、図４、図６乃至図８に示すように、基端側に第１の段差部３１５が設けられ、次いで、第１の段差部３１５より先端側に第１の段差部３１５より肉薄の第２の段差部３１６が設けられ、それぞれの段差部３１５，３１６の相対する面には、第１乃至第３のケーブル３０１ａ，３０１ｂ，３０１ｃと第４及び第５のケーブル３０２ａ，３０２ｂの各ケーブルが半田付け等によって接続される接続端子３１７が設けられている。
【００３９】
具体的に、第１の段差部３１５の一方の面には、１番ピン、３番ピン、５番ピンに対応した接続端子３１７１，３１７３，３１７５が設けられ、第２の段差部３１６の一方の面には、接続端子３１７２，３１７４が設けられている。また、第１の段差部３１５の他方の面には、６番ピン、８番ピン、１０番ピンに対応した接続端子３１７６，３１７８，３１７１０が設けられ、第２の段差部３１６の他方の面には、接続端子３１７７，３１７９が設けられている。そして、各接続端子３１７１〜１０には、次のように、第１乃至第３のケーブル３０１ａ，３０１ｂ，３０１ｃと第４及び第５のケーブル３０２ａ，３０２ｂの各ケーブルが接続される。
【００４０】
接続端子３１７１（１番ピンに対応）・・・第２のケーブル複合体３０２の第４のケーブル３０２ａ（Ｌチャンネルのオーディオ信号）が接続される。  
接続端子３１７２（２番ピンに対応）・・・ここではブランクであるが、ＬＡＮＣの信号ケーブルが接続されることがある。  
接続端子３１７３（３番ピンに対応）・・・第１のケーブル複合体３０１の第３のケーブル３０１ｃのＧＮＤ線が接続される。  
接続端子３１７４（４番ピンに対応）・・・ここではブランクであるが、ＬＡＮＣの直流電源供給ケーブルが接続されることがある。  
接続端子３１７５（５番ピンに対応）・・・第１のケーブル複合体３０１の第２のケーブル３０１ｂ（第１の色信号（Ｐｂ））が接続される。  
接続端子３１７６（６番ピンに対応）・・・第２のケーブル複合体３０２の第５のケーブル３０２ｂ（Ｒチャンネルのオーディオ信号）が接続される。  
接続端子３１７７（７番ピンに対応）・・・プラグＩＤとなる抵抗素子（例えば３３ＫΩ）３１８の一端が接続される。  
接続端子３１７８（８番ピンに対応）・・・第２のケーブル複合体３０２の第５のケーブル３０２ｂのＧＮＤ線が接続される。また、抵抗素子３１８の他端が接続される。  
接続端子３１７９（９番ピンに対応）・・・第１のケーブル複合体３０１の第３のケーブル３０１ｃ（第２の色信号（Ｐｒ））が接続される。  
接続端子３１７１０（１０番ピンに対応）・・・第１のケーブル複合体３０１の第１のケーブル３０１ａ（輝度信号（Ｙ））が接続される。
【００４１】
なお、各ケーブルのＧＮＤ線は、図４及び図８に示すように、端子部材３１１の端子部３１３を覆うように設けられるシェル３１２に半田付け等によって接続される。
【００４２】
シェル３１２は、表面にニッケルメッキ等が施され導電性を有している。このシェル３１２は、端子部材３１１の端子部３１３が内部に挿入される筒部３１９と、この筒部３１９の両側に形成されたアーム部３２０，３２０とを有しており、アーム部３２０，３２０には、各ケーブルのＧＮＤ線が接続されるようになっている。
【００４３】
以上のように、マルチプラグ３０４は、端子部材３１１の接続部３１７に設けられた接続端子３１７１〜１０に、第１乃至第３のケーブル３０１ａ，３０１ｂ，３０１ｃと第４及び第５のケーブル３０２ａ，３０２ｂの各ケーブルが半田付け等によって接続され、ＧＮＤ線がシェル３１２に半田付け等によって接続されると、図８に示したような状態となり、この後、図９に示したように、端子部材３１１やシェル３１２と第１乃至第３のケーブル３０１ａ，３０１ｂ，３０１ｃや第４及び第５のケーブル３０２ａ，３０２ｂとの接続部分、すなわち端子部材３１１の接続部３１４を保護するため、インナーモールド３２１が設けられる。また、このインナーモールド３２１が設けられる部分は、上述したマルチプラグ３０４の外筐となるケース３０６の本体部３０６ａに略対応する部分でもある。このインナーモールド３２１は、ＰＥ（Polyethylene）樹脂等でモールド成形される。この後、インナーモールド３２１上には、ケース３０６がモールド成形される。
【００４４】
ここで、図１０は、ケース３０６をモールド成形する際の一方の第１の金型３３０を示す。この第１の金型３３０は、２芯平行の第２のケーブル複合体３０２側を成形する金型であって、ケース３０６の本体部３０６ａを成形する本体成形部３３１と、ケース３０６の導出部３０６ｂを成形する導出部成形部３３２と、シェル３１２に覆われた端子部材３１１の端子部３１３が配置される本体成形部３３１に連続して形成された端子配置部３３３と、重ねられた状態にある第１のケーブル複合体３０１と第２のケーブル複合体３０２とが配置される導出部成形部３３２に連続して形成されたケーブル配置部３３４とを有している。
【００４５】
なお、図１１は、第１の金型３３０と第１の金型３３０に突き合わされる第２の金型３４０とが型締めされた状態のケーブル配置部３３４の断面図である。
【００４６】
ケーブル配置部３３４は、第２のケーブル複合体３０２を保持する略半円状の連続したケーブル保持部３３５ａ，３３５ａを有すると共に、ケーブル保持部３３５ａ，３３５ｂの両側に、第１のケーブル複合体３０１の両側を支持するケーブル支持部３３６ａ，３３６ｂが互いに平行に突出して形成されている。
【００４７】
ところで、ケース３０６をモールド成形する際には、樹脂が第１の金型３３０と第２の金型３４０が型締めされることによって構成されるキャビティ３３９内に射出充填される。この際、キャビティ３３９内に射出充填された樹脂がケーブル配置部３３４に配置されている第１のケーブル複合体３０１や第２のケーブル複合体３０２の外側谷部３０８に沿って染み出すおそれがある。また、第１のケーブル複合体３０１と第２のケーブル複合体３０２との間に設けられる谷部３０５ａ，３０５ｂに染み出すおそれがある。
【００４８】
そこで、図１０及び図１１に示すように、ケーブル配置部３３４のケーブル保持部３３５ａ，３３５ｂのケーブル支持部３３６ａ，３３６ｂ側の端部３３７では、ケーブル保持部３３５ａ，３３５ａに保持された第２のケーブル複合体３０２の第４及び第５のケーブル３０２ａ，３０２ｂを互いに近接する方向に圧縮するように、やや内側に張り出すように形成されている。また、第１のケーブル複合体３０１の両側を支持するケーブル支持部３３６ａ，３３６ｂにあっても、第１乃至第３のケーブル３０１ａ，３０１ｂ，３０１ｃを互いに近接する方向に圧縮するように、やや内側に張り出すように形成されている。すなわち、第１の金型３３０では、ケーブル保持部３３５ａ，３３５ａとケーブル支持部３３６ａ，３３６ｂとによって、第１のケーブル複合体３０１と第２のケーブル複合体３０２とを幅方向にやや圧縮した状態で保持するようにしている。更に、ケーブル支持部３３６ａ，３３６ｂの先端部３３８、すなわち第２の金型３４０と突き合わされる部分は、外側に向かって略円弧状に形成されている。
【００４９】
第１の金型３３０と対をなす第２の金型３４０は、図１１に示すように、第１のケーブル複合体３０１の第１乃至第３のケーブル３０１ａ，３０１ｂ，３０１ｃを保持する略半円状の連続したケーブル保持部３４１ａ，３４１ｂ，３４１ｃが形成されており、両側のケーブル保持部３４１ａ，３４１ｃの隣には、第１の金型３３０のケーブル支持部３３６ａ，３３６ｂの円弧状に形成された先端部３３８を受ける受け部３４２が形成されている。
【００５０】
したがって、型締めは、図１１に示すように、第１の金型３３０のケーブル支持部３３６ａ，３３６ｂの先端部３３８が第２の金型３４０の受け部３４２に係合するように行われる。すると、ケーブル保持部３３５ａ，３３５ａとケーブル支持部３３６ａ，３３６ｂとによって、幅方向にやや圧縮した状態で保持されている第１のケーブル複合体３０１と第２のケーブル複合体３０２は、図１１中矢印で示すように、更に、第２の金型３４０によって、第１のケーブル複合体３０１と第２のケーブル複合体３０２とが互いに近接する方向に圧縮されることになる。これによって、第１の金型３３０と第２の金型３４０とが型締めされた状態において、外側谷部３０８、特に、第１のケーブル複合体３０１と第２のケーブル複合体３０２との間に設けられる外側谷部３０８ａ，３０８ａの部分は、減少する。したがって、キャビティ３３９内に射出充填された樹脂がケーブル配置部３３４に配置されている第１のケーブル複合体３０１や第２のケーブル複合体３０２の外側谷部３０８に沿って染み出すことを防止することができる。また、第１のケーブル複合体３０１と第２のケーブル複合体３０２との間に形成される谷部３０５ａ，３０５ｂ内にも、第１のケーブル複合体３０１や第２のケーブル複合体３０２とが圧縮されることで、キャビティ３３９内に射出充填された樹脂が染み出すことを防止することができる。
【００５１】
なお、以上のような第１の金型３３０及び第２の金型３４０からなる金型装置において、キャビティ３３９内に樹脂を射出充填するゲートは、ケーブル配置部３３４から離れた例えば本体成形部３３１の部分に設けられ、ケーブル配置部３３４側の圧力が低くなるようにして、樹脂の染み出しを防止するようにもしている。
【００５２】
第１の金型３３０と第２の金型３４０とが型開きされ、成型品であるマルチプラグ３０４がエジェクトされると、第１及び第２の金型３３０，３４０によって圧縮されていた第１のケーブル複合体３０１と第２のケーブル複合体３０２とは元の状態に戻る。これによって、図２（Ｂ）で示したように、第１のケーブル複合体３０１と第２のケーブル複合体３０２の外周部は、閉塞部３０９と略密着することになり、この閉塞部３０９によって強度が補強され、また、マルチプラグ３０４内に塵埃等が浸入することを防止することができる。
【００５３】
以上のように構成されたＨＤ映像信号用のケーブル接続装置３０では、図２乃至図４に示すように、第１のケーブル複合体３０１と第２のケーブル複合体３０２とを、第１のケーブル複合体３０１の谷部３０５ａ，３０５ｂに第２のケーブル複合体３０２の第４及び第５のケーブル３０２ａ，３０２ｂが位置するようにして、マルチプラグ３０４で一体化するようにしたので、ケーブルが５本一列に並べられた５芯平行ケーブルのときよりも、マルチプラグ３０４の幅を狭くすることができ、例えば外形が縦１０ｍｍ横１０ｍｍ程度の大きさの中に納めることができ、小型化を図ることができる。また、ＨＤ映像信号用のケーブル接続装置３０では、映像用の第１のケーブル複合体３０１とオーディオ用の第２のケーブル複合体３０２とを、マルチプラグ３０４以外の部分では分離する構成としたので、映像信号とオーディオ信号とのクロストークを小さくすることができ、例えば以上のような構成では、クロストーク８０ｄｂ以上の性能のケーブルを実現することができた。また、例えば、特性インピーダンス７５Ω、３０ＭＨｚで減衰量０．１ｄｂ以下を実現することができた。
【００５４】
また、図１１に示すように、ケーブル接続装置３０では、３芯平行の第１のケーブル複合体３０１と２芯平行の第２のケーブル複合体３０２と重ね合わせる配置としたことで、マルチプラグ３０４の外筐となるケース３０６をモールド成形する際にも、第１のケーブル複合体３０１と第２のケーブル複合体３０２とが互いに近接する方向に圧縮された状態で樹脂を射出充填することができ、これにより、樹脂の染み出しを防止することができ、見栄えを良くすることができ、また、バリ等の除去作業を省略することもでき、生産効率の向上を図ることもできる。
【００５５】
また、図２（Ｂ）で示したように、第１のケーブル複合体３０１と第２のケーブル複合体３０２の外周部は、閉塞部３０９と略密着することになり、この閉塞部３０９によって強度が補強され、また、マルチプラグ３０４内に塵埃等が浸入することを防止することができる。
【００５６】
なお、以上の例では、３芯平行の第１のケーブル複合体３０１と２芯平行の第２のケーブル複合体３０２とを積み上げてマルチプラグ３０４で一体化したＨＤ映像信号用のケーブル接続装置３０を説明したが、ケーブルとしては、ケーブルが奇数本の平行ケーブルとケーブルが偶数本のケーブルとを積み上げるケーブルであれば、ケーブル接続装置３０と同様な効果を得ることができる。例えば、ＳＤ映像信号を伝送するために用いられるケーブル接続装置６０は、後述のように２本のオーディオ信号を伝送するケーブルと１本の映像信号を伝送するケーブルで構成される３芯平行ケーブルであるが、例えば、オーディオ信号を伝送するための２芯平行ケーブルと映像信号を伝送する１本のケーブルを、２芯平行ケーブルの谷部に配置するようにしても良い。
【００５７】
また、以上のようなＨＤ映像信号用のケーブル接続装置３０は、プラグＩＤとして、抵抗素子を用いたが、この他に、ＲＦＩＤタグ等の他の識別手段を設けるようにしても良い。
【００５８】
また、ＨＤ映像信号用のケーブル接続装置３０は、ＨＤビデオカメラ装置１０とＨＤ用モニタ装置２０との接続に用いる場合に限定されるものではなく、ＶＴＲとＨＤ用モニタ装置２０等の接続に用いても良い。また、ＨＤ映像信号用のケーブル接続装置３０では、輝度信号（Ｙ）と第１の色信号（Ｃｂ）と第２の色信号（Ｃｒ）とから構成されたコンポーネント映像信号を伝送するようにしても良い。
【００５９】
また、ＨＤ映像信号用のケーブル接続装置３０は、マルチプラグ３０４やＹプラグ３０３ａ、Ｐｂプラグ３０３ｂ、Ｐｒプラグ３０３ｃ、Ｌｃｈオーディオプラグ３０３ｄ、Ｒｃｈオーディオプラグ３０３ｅの近傍に、ケーブルからの放射ノイズ対策や静電気対策として、ケーブルを中心に通す略円柱状のフェライトコア部材を設けるようにしても良い。
【００６０】
（２）ＳＤ映像信号用のケーブル接続装置６０の説明
図１に示すように、ＨＤビデオカメラ装置１０又はＳＤビデオカメラ装置４０とＳＤ用モニタ装置５０とを接続するケーブル接続装置６０は、例えば、３芯平行ケーブルで構成されており、ＳＤ映像信号用の第１のケーブル６０１と、オーディオ信号用の第２及び第３のケーブル６０２，６０３を一列に一体化して形成されている。そして、ケーブル接続装置６０は、ＨＤビデオカメラ装置１０又はＳＤビデオカメラ装置４０と接続される側には、ＨＤ映像信号用のケーブル接続装置３０で用いられているマルチプラグ３０４と同じ構成のマルチプラグ６００が設けられている。また、ＳＤ映像信号用のケーブル接続装置６０のＳＤ用モニタ装置５０と接続される側は、第１のケーブル６０１に、ＳＤ映像信号用のプラグ６０４が設けられ、第２のケーブル６０２に、Ｌｃｈオーディオプラグ６０５が設けられ、第３のケーブル６０３に、Ｒｃｈオーディオプラグ６０６が設けられている。ＳＤ映像信号用のプラグ６０４は、例えば、コンポジット信号（ＶＩＤＥＯ）を出力するＲＣＡプラグであり又はＳ端子となっている。また、映像用に３本のケーブルを用いるときには、コンポジット信号（ＶＩＤＥＯ）のプラグの他に、輝度信号（Ｓ−Ｙ）用のプラグと色信号（Ｓ−Ｃ）用のプラグと設けるようにしても良い。また、第１乃至第３のケーブル６０１，６０２，６０３は、通常、標準的なケーブルが用いられているが、ＨＤ映像信号用のケーブル接続装置３０のときのように広帯域のケーブルを用いても良い。
【００６１】
ＨＤビデオカメラ装置１０又はＳＤビデオカメラ装置４０と接続されるマルチプラグ６００は、ＨＤビデオカメラ装置１０又はＳＤビデオカメラ装置４０に設けられたジャック１１，４１に接続される。
【００６２】
ここで、図１２（Ａ）及び（Ｂ）を用いて、マルチプラグ６００のピン配置を説明する。
【００６３】
１番ピン・・・Ｌチャンネルのオーディオ信号端子
２番ピン・・・ここではブランクであるが、ＬＡＮＣの信号端子
３番ピン・・・映像信号用のＧＮＤ端子
４番ピン・・・ここではブランクであるが、ＬＡＮＣの直流電源供給端子
５番ピン・・・色信号（Ｓ−Ｃ）端子
（二列目）
６番ピン・・・Ｒチャンネルのオーディオ信号端子
７番ピン・・・ショート。抵抗素子３１８は接続されていない。  
８番ピン・・・オーディオ信号用のＧＮＤ端子
９番ピン・・・コンポジット信号（ＶＩＤＥＯ）端子
１０番ピン・・・輝度信号（Ｓ−Ｙ）端子
以上のように構成されたＳＤ映像信号用のケーブル接続装置６０は、マルチプラグ６００をＨＤビデオカメラ装置１０のジャック４１又はＳＤビデオカメラ装置４０のジャック４１に接続することができる。そして、ＳＤ映像信号用のケーブル接続装置６０は、ＳＤ用モニタ装置５０にＳＤ映像信号を表示することができる。
【００６４】
なお、ＳＤ映像信号用のケーブル接続装置６０は、ＳＤビデオカメラ装置４０とＳＤ用モニタ装置５０との接続に用いる場合に限定されるものではなく、ＶＴＲとＳＤ用モニタ装置５０等の接続に用いても良い。また、ＳＤ映像信号用のケーブル接続装置６０にも、ＨＤ映像信号用のケーブル接続装置３０と同様に、ケーブルからの放射ノイズ対策や静電気対策として、ケーブルを中心に通す略円柱状のフェライトコアを設けるようにしても良い。
【００６５】
（３）ＨＤビデオカメラ装置１０の説明
上述のように、ＨＤビデオカメラ装置１０は、ＨＤ映像信号とＳＤ映像信号とをジャック１１から選択的に出力することができ、このジャック１１には、上述のＨＤ映像信号用のケーブル接続装置３０のマルチプラグ３０４とＳＤ映像信号用のケーブル接続装置６０のマルチプラグ６００が選択的に挿入されて接続される。
【００６６】
ＨＤ映像信号用のケーブル接続装置３０のマルチプラグ３０４とＳＤ映像信号用のケーブル接続装置６０のマルチプラグ６００とは、物理的に同一であり、ピン数も１０本である。このようなマルチプラグ３０４，６００が挿入されるジャック１１は、図１３に示すように、信号を出力するようになっている。
【００６７】
ここで、１〜４，６，８番ピンは、ＨＤ映像信号を出力する場合とＳＤ映像信号を出力する場合とで、出力する信号の種類は異ならない。
【００６８】
７番ピンは、プラグＩＤを示すものであり、ＨＤ映像信号用のケーブル接続装置３０のとき、所定の抵抗値、例えば３３ｋΩとなっており、ＳＤ映像信号用のケーブル接続装置６０のときは、抵抗素子が接続されていないことから０Ωとなっている。
【００６９】
５番ピンは、ＨＤ映像信号のとき、第１の色信号（Ｐｂ）を出力し、ＳＤ映像信号のとき、色信号（Ｓ−Ｃ）を出力するようになっている。
【００７０】
９番ピンは、ＨＤ映像信号のとき、第２の色信号（Ｐｒ）を出力し、ＳＤ映像信号のとき、コンポジット信号（ＶＩＤＥＯ）を出力するようになっている。
【００７１】
１０番ピンは、ＨＤ映像信号のとき、輝度信号（Ｙ）を出力し、ＳＤ映像信号のときも、輝度信号（Ｓ−Ｙ）を出力するようになっている。
【００７２】
このＨＤビデオカメラ装置１０は、図１４に示すように、ディジタルＨＤ映像信号を生成するＨＤディジタル信号処理回路１０１と、ディジタルＳＤ映像信号を生成するＳＤディジタル信号処理回路１０２と、ＨＤディジタル信号処理回路１０１とＳＤディジタル信号処理回路１０２とを切り換える第１の切換スイッチ１０３と、ディジタルＨＤ映像信号又はディジタルＳＤ映像信号をアナログ信号に変換するＤ／Ａコンバータ１０４と、アナログＨＤ映像信号を出力できるように切り換えるＨＤアナログ信号処理回路１０５と、アナログＳＤ映像信号を出力できるように切り換えるＳＤアナログ信号処理回路１０６と、ジャック１１に接続されたケーブル接続装置の種類を判別するマイコン１０７と、撮像部で撮像した映像をＨＤ映像信号又はＳＤ映像信号で記録し保存する記録部１０８と、ＨＤアナログ信号処理回路１０５とＳＤアナログ信号処理回路１０６の出力を切換制御するインバータ１０９とを備えている。
【００７３】
ＨＤディジタル信号処理回路１０１は、ＣＣＤ（Charge-Coupled Devices）やＣＭＯＳ（Complementary Metal-Oxide Semiconductor）等の撮像素子で撮像した信号から輝度信号（Ｙ）と第１の色信号（Ｐｂ）と第２の色信号（Ｐｒ）とから構成されているＨＤコンポーネント映像信号を生成し、ディジタル信号で記録部１０８に保存する。また、ＨＤディジタル信号処理回路１０１は、ＨＤ用モニタ装置２０に出力するとき、記録部１０８よりディジタル形式のＨＤ映像信号、すなわちコンポーネント映像信号を読み出す。
【００７４】
また、ＳＤディジタル信号処理回路１０２は、ＣＣＤやＣＭＯＳセンサ等の撮像素子で撮像した信号から輝度信号（Ｓ−Ｙ）と色差信号（Ｒ−Ｙ、Ｂ−Ｙ）から色信号（Ｓ−Ｃ）を生成し、更に、輝度信号（Ｓ−Ｙ）と色信号（Ｓ−Ｃ）とを合成してコンポジット信号（ＶＩＤＥＯ）をディジタル信号で記録部１０８に保存する。また、ＳＤディジタル信号処理回路１０２は、ＳＤ用モニタ装置５０に出力するとき、記録部１０８よりディジタル形式のＳＤ映像信号、すなわちコンポジット信号（ＶＩＤＥＯ）を読み出し、コンポジット信号（ＶＩＤＥＯ）から輝度信号（Ｓ−Ｙ）と色信号（Ｓ−Ｃ）とを生成する。
【００７５】
第１の切換スイッチ１０３は、ＨＤ映像信号用のケーブル接続装置３０が接続されたとき、ＨＤディジタル信号処理回路１０１を選択し、ＨＤ映像信号、すなわち輝度信号（Ｙ）と第１の色信号（Ｐｂ）と第２の色信号（Ｐｒ）とをＤ／Ａコンバータ１０４に出力できるようにする。また、第１の切換スイッチ１０３は、ＳＤ映像信号用のケーブル接続装置６０が接続されたとき、ＳＤディジタル信号処理回路１０２を選択し、ＳＤ映像信号、すなわちコンポジット信号（ＶＩＤＥＯ）から生成した輝度信号（Ｓ−Ｙ）と色信号（Ｓ−Ｃ）とをＤ／Ａコンバータ１０４に出力できるようにする。
【００７６】
Ｄ／Ａコンバータ１０４は、ＨＤディジタル信号処理回路１０１からのＨＤ映像信号とＳＤディジタル信号処理回路１０２からのＳＤ映像信号とが選択的に入力される入力ポート１０４ａと、第１乃至第３の出力ポート１０４ｂ，１０４ｃ，１０４ｄとを有している。
【００７７】
Ｄ／Ａコンバータ１０４は、ＨＤディジタル信号処理回路１０１からディジタルのＨＤ映像信号が入力されたとき、ディジタルの輝度信号（Ｙ）をアナログ信号に変換し、第１の出力ポート１０４ｂより出力し、ディジタルの第２の色信号（Ｐｒ）をアナログ信号に変換し、第２の出力ポート１０４ｃより出力し、ディジタルの第１の色信号（Ｐｂ）をアナログ信号に変換し、第３の出力ポート１０４ｄより出力する。また、Ｄ／Ａコンバータ１０４は、ＳＤディジタル信号処理回路１０２からディジタルのＳＤ映像信号が入力されたとき、ディジタルの輝度信号（Ｓ−Ｙ）をアナログ信号に変換し、第１の出力ポート１０４ｂより出力し、ディジタルの色信号（Ｓ−Ｃ）をアナログ信号に変換し、第２の出力ポート１０４ｃより出力し、第３の出力ポート１０４ｅからは何も出力しない。
【００７８】
ＨＤアナログ信号処理回路１０５は、アナログのＨＤ映像信号の出力をオンオフする。具体的に、ＨＤアナログ信号処理回路１０５は、第２の切換手段となる第１乃至第３のスイッチ１０５ａ，１０５ｂ，１０５ｃを有している。第１のスイッチ１０５ａは、Ｄ／Ａコンバータ１０４の第１の出力ポート１０４ｂとジャック１１の１０番ピンとの間に設けられ、ＨＤ映像信号のアナログの輝度信号（Ｙ）の出力をオンオフする。第２のスイッチ１０５ｂは、Ｄ／Ａコンバータ１０４の第２の出力ポート１０４ｃとジャック１１の９番ピンとの間に設けられ、ＨＤ映像信号のアナログの第２の色信号（Ｐｒ）の出力をオンオフする。第３のスイッチ１０５ｃは、Ｄ／Ａコンバータ１０４の第３の出力ポート１０４ｄとジャック１１の５番ピンとの間に設けられ、ＨＤ映像信号のアナログの第１の色信号（Ｐｂ）の出力をオンオフする。
【００７９】
ＳＤアナログ信号処理回路１０６は、アナログのＳＤ映像信号の出力をオンオフする。具体的に、ＳＤアナログ信号処理回路１０６は、第２の切換手段となる第４乃至第６のスイッチ１０６ａ，１０６ｂ，１０６ｃを有している。第４のスイッチ１０６ａは、Ｄ／Ａコンバータ１０４の第１の出力ポート１０４ｂとジャック１１の１０番ピンとの間に設けられ、ＳＤ映像信号のアナログの輝度信号（Ｓ−Ｙ）の出力をオンオフする。第５のスイッチ１０６ｂは、Ｄ／Ａコンバータ１０４の第２の出力ポート１０４ｃとジャック１１の５番ピンとの間に設けられ、ＳＤ映像信号のアナログの色信号（Ｓ−Ｃ）の出力をオンオフする。
【００８０】
また、ＳＤアナログ信号処理回路１０６は、Ｄ／Ａコンバータ１０４の第１の出力ポート１０４ｂと第２の出力ポート１０４ｃとの出力を加算する加算器１０６ｄを有する。加算器１０６ｄは、ＳＤ映像信号のアナログの輝度信号（Ｓ−Ｙ）と色信号（Ｓ−Ｃ）とを加算してコンポジット信号（ＶＩＤＥＯ）を生成する。第６のスイッチ１０６ｃは、加算器１０６ｄと９番ピンとの間に設けられ、ＳＤ映像信号のアナログのコンポジット信号（ＶＩＤＥＯ）の出力をオンオフする。
【００８１】
マイコン１０７は、７番ピンの抵抗値を検出する。そして、マイコン１０７は、所定値、例えば３３ｋΩのとき、ジャック１１にＨＤ映像信号用のケーブル接続装置３０が接続されていると判断し、０Ωであったとき、ジャック１１にＳＤ映像信号用のケーブル接続装置６０が接続されていると判断し、∞Ωであったとき、ジャック１１に何も接続されていないと判断する。具体的に、マイコン１０７は、ジャック１１にＨＤ映像信号用のケーブル接続装置３０が接続されていると判断したとき、第１の切換スイッチ１０３を、端子１０１ａと接続し、ＨＤディジタル信号処理回路１０１とＤ／Ａコンバータ１０４とを接続するように切り換える。また、マイコン１０７は、ジャック１１にＳＤ映像信号用のケーブル接続装置６０が接続されていると判断したとき、第１の切換スイッチ１０３を、端子１０２ａと接続し、ＳＤディジタル信号処理回路１０２とＤ／Ａコンバータ１０４とを接続するように切り換える。また、マイコン１０７は、インバータ１０９に対して、第１乃至第３のスイッチ１０５ａ，１０５ｂ，１０５ｃと第４乃至第６のスイッチ１０６ａ，１０６ｂ，１０６ｃとを切換制御するための制御信号を出力する。
【００８２】
インバータ１０９は、第１乃至第３のスイッチ１０５ａ，１０５ｂ，１０５ｃと第４乃至第６のスイッチ１０６ａ，１０６ｂ，１０６ｃを、マイコン１０７から入力された制御信号に基づいて切換制御する。具体的に、インバータ１０９は、アナログのＨＤ映像信号を出力するとき、第１乃至第３のスイッチ１０５ａ，１０５ｂ，１０５ｃをオンにし、第４乃至第６のスイッチ１０６ａ，１０６ｂ，１０６ｃをオフにする。これにより、ジャック１１の１０番ピンからは、ＨＤ映像信号のアナログの輝度信号（Ｙ）が出力されるようになり、９番ピンからは、ＨＤ映像信号のアナログの第２の色信号（Ｐｒ）が出力されるようになり、５番ピンからは、ＨＤ映像信号のアナログの第１の色信号（Ｐｂ）が出力されるようになる。
【００８３】
また、インバータ１０９は、アナログのＳＤ映像信号を出力するとき、第１乃至第３のスイッチ１０５ａ，１０５ｂ，１０５ｃをオフにし、第４乃至第６のスイッチ１０６ａ，１０６ｂ，１０６ｃをオンにする。これにより、ジャック１１の１０番ピンからは、ＳＤ映像信号のアナログの輝度信号（Ｓ−Ｙ）が出力されるようになり、９番ピンからは、ＳＤ映像信号のアナログのコンポジット信号（ＶＩＤＥＯ）が出力されるようになり、５番ピンからは、ＳＤ映像信号のアナログの色信号（Ｓ−Ｃ）が出力されるようになる。
【００８４】
次に、ＨＤビデオカメラ装置１０のジャック１１に接続されたケーブル接続装置の種類を検出し、ＨＤ映像信号又はＳＤ映像信号を出力するまでの処理手順について図１５を参照して説明する。
【００８５】
ステップＳ１において、マイコン１０７は、７番ピンの抵抗値を検出し、抵抗値が∞Ωから０Ω又は３３ｋΩになったかを判断し、３３ｋΩ又は０Ωになったとき、ジャック１１にＨＤ映像信号用のケーブル接続装置３０のマルチプラグ３０４又はＳＤ映像信号用のケーブル接続装置６０のマルチプラグ６００の何れかが接続されたと判断する。そして、ケーブルがジャック１１に接続されたとき、マイコン１０７は、ステップＳ２において、抵抗値が所定値、例えば３３ｋΩであるかを判断し、所定値であったとき、ＨＤ映像信号用のケーブル接続装置３０が接続されたと判断し、ステップＳ３に進む。また、マイコン１０７は、抵抗値が所定値でなかったとき、ＳＤ映像信号用のケーブル接続装置６０が接続されたと判断し、ステップＳ４に進む。
【００８６】
ＨＤ映像信号用のケーブル接続装置３０が接続されたとき、マイコン１０７は、ステップＳ３において、第１の切換スイッチ１０３を端子１０１ａと接続し、ＨＤ映像信号がＤ／Ａコンバータ１０４に出力できるようにする。また、マイコン１０７は、インバータ１０９を介して第１乃至第３のスイッチ１０５ａ，１０５ｂ，１０５ｃをオンにし、第４乃至第６のスイッチ１０６ａ，１０６ｂ，１０６ｃをオフにする。
【００８７】
これにより、ＨＤディジタル信号処理回路１０１は、輝度信号（Ｙ）と第１の色信号（Ｐｂ）と第２の色信号（Ｐｒ）からなるコンポーネント映像信号をＤ／Ａコンバータ１０４に出力し、Ｄ／Ａコンバータ１０４は、ディジタル信号をアナログ信号に変換して、第１の出力ポート１０４ｂよりアナログの輝度信号（Ｙ）を出力する。このアナログの輝度信号（Ｙ）は、第１のスイッチ１０５ａを介して１０番ピンに出力される。また、Ｄ／Ａコンバータ１０４は、第２の出力ポート１０４ｃよりアナログの第２の色信号（Ｐｒ）を出力する。このアナログの第２の色信号（Ｐｒ）は、第２のスイッチ１０５ｂを介して９番ピンに出力される。また、Ｄ／Ａコンバータ１０４は、第３の出力ポート１０４ｄよりアナログの第１の色信号（Ｐｂ）を出力する。このアナログの第１の色信号（Ｐｂ）は、第３のスイッチ１０５ｃを介して５番ピンに出力される。また、１番ピンや６番ピンからは、オーディオ信号が出力される。
【００８８】
ＨＤ映像信号用のケーブル接続装置３０は、図１に示したように、Ｙプラグ３０３ａがＨＤ用モニタ装置２０のＹ入力端子２１ａに接続され、Ｐｂプラグ３０３ｂがＰｂ入力端子２１ｂに接続され、Ｐｒプラグ３０３ｃがＰｒ入力端子２１ｃに接続されている。更に、Ｌｃｈオーディオプラグ３０３ｄがＬｃｈオーディオ入力端子２１ｄに接続され、Ｒｃｈオーディオプラグ３０３ｅがＲｃｈオーディオ入力端子２１ｅに接続されている。したがって、ＨＤ用モニタ装置２０には、ＨＤ映像信号が表示されると共に、ステレオのオーディオ信号が出力されることになる。
【００８９】
また、ＳＤ映像信号用のケーブル接続装置６０が接続されたとき、マイコン１０７は、ステップＳ４において、第１の切換スイッチ１０３を端子１０２ａと接続し、ＳＤ映像信号がＤ／Ａコンバータ１０４に出力できるようにする。また、マイコン１０７は、インバータ１０９を介して第１乃至第３のスイッチ１０５ａ，１０５ｂ，１０５ｃをオフにし、第４乃至第６のスイッチ１０６ａ，１０６ｂ，１０６ｃをオンにする。
【００９０】
これにより、ＳＤディジタル信号処理回路１０２は、輝度信号（Ｓ−Ｙ）と色信号（Ｓ−Ｃ）とをＤ／Ａコンバータ１０４に出力し、Ｄ／Ａコンバータ１０４は、ディジタル信号をアナログ信号に変換して、第１の出力ポート１０４ｂよりアナログの輝度信号（Ｓ−Ｙ）を出力する。このアナログの輝度信号（Ｓ−Ｙ）は、第４のスイッチ１０６ａを介して１０番ピンに出力される。また、Ｄ／Ａコンバータ１０４は、第２の出力ポート１０４ｃよりアナログの色信号（Ｓ−Ｃ）を出力する。このアナログの色信号（Ｓ−Ｃ）は、第５のスイッチ１０６ｂを介して５番ピンに出力される。また、加算器１０６ｄは、アナログの輝度信号（Ｓ−Ｙ）と色信号（Ｓ−Ｃ）とを加算してコンポジット信号（ＶＩＤＥＯ）を生成し、９番ピンに出力する。また、１番ピンや６番ピンからは、オーディオ信号が出力される。
【００９１】
ＳＤ映像信号用のケーブル接続装置６０は、図１に示したように、ＳＤ映像信号用のプラグ６０４がＳＤ用モニタ装置５０のＲＣＡのコンポジット入力端子又はＳ端子６１ａに接続されている。更に、Ｌｃｈオーディオプラグ６０５がＬｃｈオーディオ入力端子６１ｂに接続され、Ｒｃｈオーディオプラグ６０６がＲｃｈオーディオ入力端子６１ｃに接続されている。したがって、ＳＤ用モニタ装置５０には、ＳＤ映像信号が表示されると共に、ステレオのオーディオ信号が出力されることになる。
【００９２】
以上のように構成されたＨＤビデオカメラ装置１０は、ＨＤ映像信号とＳＤ映像信号の両方を出力することができるが、このような構成を採用する際、１つのジャック１１に対して、ＨＤ映像信号用のケーブル接続装置３０のマルチプラグ３０４とＳＤ映像信号用のケーブル接続装置６０のマルチプラグ６００の両方が接続されるようにしたので、従来よりジャックの数を減らすことができ、部品点数の削減を図ることができ、また、装置全体の小型化を図ることができる。ＨＤビデオカメラ装置１０では、ジャック１１に対してＨＤ映像信号用のケーブル接続装置３０のマルチプラグ３０４とＳＤ映像信号用のケーブル接続装置６０のマルチプラグ６００の両方が接続されるようにしたが、この際、ケーブルの種類を判別し、判別結果に応じて、ＨＤ映像信号とＳＤ映像信号を出力したので、誤った映像信号をＨＤ用モニタ装置２０やＳＤ用モニタ装置５０に出力してしまうことを防止することができる。
【００９３】
なお、ＨＤビデオカメラ装置１０において、マイコン１０７は、更に多くのケーブルの種類を判別するようにしても良い。例えば、以上の例では、ＨＤ映像信号用のケーブル接続装置３０を３３ｋΩで、ＳＤ映像信号用のケーブル接続装置６０が０Ωに定義していたが、更に、別の抵抗値を、ヘッドホンやイヤホンに接続されるケーブルに割り当てるようにし、この抵抗値を、更にマイコン１０７が判別するようにしても良い。この場合、Ｌｃｈオーディオ信号とＲｃｈオーディオ信号のみを出力するようにする。更に、別の抵抗値を、遠隔操作装置等の操作装置と接続するケーブルに割り当てるようにし、この抵抗値を、マイコン１０７が判別するようにしても良い。この場合は、上述の例ではブランクとなっていたＬＡＮＣに用いられる２番ピン、４番ピンを使って制御信号のやり取りがされることになる。このように、マイコン１０７は、より多くのケーブルの種類を判別することができる。
【００９４】
（４）ＳＤビデオカメラ装置４０の説明
ＳＤビデオカメラ装置４０は、ＳＤ映像信号を出力するジャック４１を有している。このジャック４１は、専らＳＤ映像信号を出力するものであり、ＳＤ映像信号用のケーブル接続装置６０が接続されるものであるが、ＨＤ映像信号用のケーブル接続装置３０のマルチプラグ３０４とＳＤ映像信号用のケーブル接続装置６０のマルチプラグ６００とが物理的に同一形状を有していることに鑑みて、ＨＤビデオカメラ装置１０のジャック１１と物理的に同じものとなっている。
【００９５】
このＳＤビデオカメラ装置４０は、図１６に示すように、ディジタルＳＤ映像信号を生成するＳＤディジタル信号処理回路４０１と、ディジタルＳＤ映像信号をアナログ信号に変換するＤ／Ａコンバータ４０２と、アナログＳＤ映像信号を生成するＳＤアナログ信号処理回路４０３と、誤ったケーブル接続装置がジャック４１に接続されたときに表示する警告用データが格納された警告用データメモリ４０４と、ジャック４１に接続されたケーブル接続装置の種類を判別するマイコン４０５と、ＳＤディジタル信号処理回路４０１の出力を切り換える切換スイッチ４０６とを備えている。
【００９６】
ＳＤディジタル信号処理回路１０２は、ＣＣＤやＣＭＯＳセンサ等の撮像素子で撮像した信号から輝度信号（Ｓ−Ｙ）と色差信号（Ｒ−Ｙ、Ｂ−Ｙ）から色信号（Ｓ−Ｃ）を生成し、更に、輝度信号（Ｓ−Ｙ）と色信号（Ｓ−Ｃ）とを合成してコンポジット信号（ＶＩＤＥＯ）をディジタル信号で記録部４０７に保存する。また、ＳＤディジタル信号処理回路１０２は、ＳＤ用モニタ装置５０に出力するとき、記録部４０７よりディジタル形式のＳＤ映像信号、すなわちコンポジット信号（ＶＩＤＥＯ）を読み出し、コンポジット信号（ＶＩＤＥＯ）から輝度信号（Ｓ−Ｙ）と色信号（Ｓ−Ｃ）とを分離する。
【００９７】
切換スイッチ４０６は、ＳＤ映像信号用のケーブル接続装置６０が接続されたとき、オンとなって、ＳＤ映像信号、すなわち輝度信号（Ｓ−Ｙ）と色信号（Ｓ−Ｃ）とをＤ／Ａコンバータ４０２に出力できるようにする。また、切換スイッチ４０６は、誤った種類のケーブル、例えばＨＤ映像信号用のケーブル接続装置３０が接続されたとき、オフとなって、ＳＤ映像信号の出力を禁止する。
【００９８】
Ｄ／Ａコンバータ４０２は、ＳＤディジタル信号処理回路１０２からのＳＤ映像信号が入力される入力ポート４０２ａと、第１及び第２の出力ポート４０２ｂ，４０２ｃとを有している。Ｄ／Ａコンバータ４０２は、ＳＤディジタル信号処理回路４０１からディジタルのＳＤ映像信号が入力されたとき、ディジタルの輝度信号（Ｓ−Ｙ）をアナログ信号に変換し、第１の出力ポート４０２ｂより出力し、ディジタルの色信号（Ｓ−Ｃ）をアナログ信号に変換し、第２の出力ポート４０２ｃより出力する。
【００９９】
ＳＤアナログ信号処理回路４０３は、出力するアナログのＳＤ映像信号を生成する。具体的に、ＳＤアナログ信号処理回路４０３は、Ｄ／Ａコンバータ４０２の第１の出力ポート４０２ｂと第２の出力ポート４０２ｃとの出力を加算する加算器４０３ａを有する。加算器４０３ａは、ＳＤ映像信号のアナログの輝度信号（Ｓ−Ｙ）と色信号（Ｓ−Ｃ）とを加算してコンポジット信号（ＶＩＤＥＯ）を生成する。
【０１００】
したがって、Ｄ／Ａコンバータ４０２の第１の出力ポート４０２ｂより出力されたアナログの輝度信号（Ｓ−Ｙ）は、ジャック４１の１０番ピンに入力され、Ｄ／Ａコンバータ４０２の第２の出力ポート４０２ｃより出力されたアナログの色信号（Ｓ−Ｃ）は、ジャック４１の５番ピンに入力され、加算器４０３ａで生成されたコンポジット信号（ＶＩＤＥＯ）は、９番ピンに入力されることになる。
【０１０１】
警告用データメモリ４０４は、ＳＤ映像信号用のケーブル接続装置６０ではなく誤ったケーブルがジャック４１に接続されたときに、ＳＤビデオカメラ装置４０のモニタやビューファインダ等の表示部４０８に警告表示するためのデータが格納されている。例えば、ＳＤビデオカメラ装置４０のジャック４１にＨＤ映像信号用のケーブル接続装置３０が接続された場合には、ＨＤ用モニタ装置２０と接続される可能性が高い。すなわち、図１に示すように、ＨＤ用モニタ装置２０では、コンポーネント信号用の入力端子、すなわちＹ入力端子２１ａ、Ｐｂ入力端子２１ｂ、Ｐｒ入力端子２１ｃが設けられている。したがって、ＳＤビデオカメラ装置４０に対してＨＤ用モニタ装置２０が接続され、ＨＤ用モニタ装置２０には、ＳＤ映像信号が入力される。具体的には、ＨＤ映像信号用のケーブル接続装置３０のＹプラグ３０３ａは、Ｙ入力端子２１ａに接続され、Ｐｂプラグ３０３ｂがＰｂ入力端子２１ｂに接続され、Ｐｒプラグ３０３ｃがＰｒ入力端子２１ｃに接続される。このため、ＨＤ用モニタ装置２０には、ＳＤ映像信号が入力されることになってしまい、正しく表示が行われなくなってしまう。このため、警告用データメモリ４０４には、文字等のテキストデータ、画像データ、動画データ、音声データ等で警告用のデータが格納されている。例えば、警告用データメモリ４０４には、「このモニタに対応していないケーブルです。」といった警告データが格納されている。
【０１０２】
マイコン４０５は、７番ピンの抵抗値を検出する。そして、マイコン４０５は、所定値、例えば３３ｋΩのとき、ジャック４１に誤ってＨＤ映像信号用のケーブル接続装置３０が接続されていると判断し、０Ωであったとき、ジャック４１にＳＤ映像信号用のケーブル接続装置６０が接続されていると判断し、∞Ωであったとき、ジャック４１に何も接続されていないと判断する。具体的に、マイコン４０５は、ジャック４１にＨＤ映像信号用のケーブル接続装置３０が誤って接続されていると判断したとき、切換スイッチ４０６をオフにする。また、マイコン４０５は、ジャック４１にＳＤ映像信号用のケーブル接続装置６０が正しく接続されていると判断したとき、切換スイッチ４０６を、オンにし、端子４０１ａと接続し、ＳＤディジタル信号処理回路４０１とＤ／Ａコンバータ４０２とを接続するように切り換える。
【０１０３】
次に、ＳＤビデオカメラ装置４０のジャック４１に接続されたケーブル接続装置の種類を検出し、ＳＤ映像信号を出力するまでの処理手順について図１７を参照して説明する。
【０１０４】
ステップＳ１１において、マイコン４０５は、７番ピン抵抗値を検出し、抵抗値が∞Ωから０Ω又は３３ｋΩになったかを判断し、０Ω又は３３ｋΩになったとき、ジャック４１にＨＤ映像信号用のケーブル接続装置３０のマルチプラグ３０４又はＳＤ映像信号用のケーブル接続装置６０のマルチプラグ６００の何れかが接続されたと判断する。そして、ケーブルがジャック４１に接続されたとき、マイコン４０５は、ステップＳ１２において、抵抗値が所定値、例えば３３ｋΩであるかを判断し、所定値であったとき、ＨＤ映像信号用のケーブル接続装置３０が誤って接続されたと判断し、ステップＳ１３に進む。また、マイコン４０５は、抵抗値が所定値でなかったとき、ＳＤ映像信号用のケーブル接続装置６０が正しく接続されたと判断し、ステップＳ１４に進む。
【０１０５】
誤ってＨＤ映像信号用のケーブル接続装置３０がジャック４１に接続されたとき、マイコン４０５は、ステップＳ１３において、切換スイッチ４０６を端子４０１ａと切り離しオフにし、ＳＤ映像信号の出力を禁止し、ＨＤ用モニタ装置２０にＳＤ映像信号が出力されないようにする。これと共に、マイコン４０５は、警告用データメモリ４０４から警告用のデータを読み出して、モニタ、ビューファインダ等の表示部４０８に表示する。
【０１０６】
また、ＳＤ映像信号用のケーブル接続装置６０が正しく接続されたと判断したとき、マイコン４０５は、ステップＳ１４において、切換スイッチ４０６をオンとし、端子４０１ａとＤ／Ａコンバータ４０２とを接続する。これにより、ＳＤディジタル信号処理回路４０１は、輝度信号（Ｓ−Ｙ）と色信号（Ｓ−Ｃ）とをＤ／Ａコンバータ４０２に出力し、Ｄ／Ａコンバータ４０２は、ディジタル信号をアナログ信号に変換して、第１の出力ポート４０２ｂよりアナログの輝度信号（Ｓ−Ｙ）を出力する。このアナログの輝度信号（Ｓ−Ｙ）は、１０番ピンに出力される。また、Ｄ／Ａコンバータ４０２は、第２の出力ポート４０２ｃよりアナログの色信号（Ｓ−Ｃ）を出力する。このアナログの色信号（Ｓ−Ｃ）は、５番ピンに出力される。また、加算器４０３ａは、アナログの輝度信号（Ｓ−Ｙ）と色信号（Ｓ−Ｃ）とを複合してコンポジット信号（ＶＩＤＥＯ）を生成し、９番ピンに出力する。また、１番ピンや６番ピンからは、オーディオ信号が出力される。
【０１０７】
ＳＤ映像信号用のケーブル接続装置６０は、図１に示したように、ＳＤ映像信号用のプラグ６０４がＳＤ用モニタ装置５０のＲＣＡのコンポジット入力端子又はＳ端子６１ａに接続されている。更に、Ｌｃｈオーディオプラグ６０５がＬｃｈオーディオ入力端子６１ｂに接続され、Ｒｃｈオーディオプラグ６０６がＲｃｈオーディオ入力端子６１ｃに接続されている。したがって、ＳＤ用モニタ装置５０には、ＳＤ映像信号が表示されると共に、ステレオのオーディオ信号が出力されることになる。
【０１０８】
以上のように構成されたＳＤビデオカメラ装置４０では、マイコン４０５で、ＳＤ映像信号用のケーブル接続装置６０が正しく接続されたかを判断するようにして、ＨＤ映像信号用のケーブル接続装置３０等誤ったケーブルが接続されたとき、ＳＤ映像信号の出力を禁止するようにしたので、誤った映像がＨＤ用モニタ装置２０に表示されることを防止することができる。これと共に、ＳＤビデオカメラ装置４０は、モニタやビューファインダ等の表示部４０８に表示するようにしたので、ユーザは、誤ってＨＤ映像信号用のケーブル接続装置３０をＳＤビデオカメラ装置４０に接続してしまったことを知ることができる。
【０１０９】
なお、図１７の例では、ジャック４１に、誤ってＨＤ映像信号用のケーブル接続装置３０のマルチプラグ３０４が接続されると、ＳＤビデオカメラ装置４０では、切換スイッチ４０６をオフにし、ＳＤ映像信号の出力を禁止するようにしたが、ＳＤ映像信号の出力を禁止しないようにしても良い。この場合、次に説明するように、ＨＤ用モニタ装置２０には、赤い画像が表示されるようになる。一般に、赤色は、警告を行うときに用いられる色であるので、ユーザは、ＨＤ用モニタ装置２０に赤い画像が表示されることによって、誤ってＨＤ映像信号用のケーブル接続装置３０を接続してしまったことを知ることができる。
【０１１０】
（５）既存のＳＤビデオカメラ装置の説明
既存のＳＤビデオカメラ装置は、上述した図１６に示したＳＤビデオカメラ装置４０からマイコン４０５と警告用データメモリ４０４の構成を除いたものであり、その他は同様な構成を有している。すなわち、ＳＤ映像信号を出力する出力端子のジャックも上述のＳＤビデオカメラ装置４０のジャック４１と同じである。したがって、既存のＳＤビデオカメラ装置のジャックには、ＳＤ映像信号用のケーブル接続装置６０のマルチプラグ６００の他に、ＨＤ用モニタ装置２０と接続されるＨＤ映像信号用のケーブル接続装置３０のマルチプラグ３０４も誤って接続されてしまうおそれがある。
【０１１１】
既存のＳＤビデオカメラ装置のジャックに対してＨＤ映像信号用のケーブル接続装置３０のマルチプラグ３０４が誤って接続されたときには、図１８に示すように、ＳＤ映像信号がＨＤ用モニタ装置２０に入力されることになる。
【０１１２】
この際、ＨＤ映像信号用のケーブル接続装置３０とＨＤ用モニタ装置２０との間では、正しく接続が行われることによって、結果として、ＳＤ映像信号はＨＤ用モニタ装置２０の入力端子には、次のようなＳＤ信号が入力されることになる。
【０１１３】
輝度信号（Ｓ−Ｙ）・・・ＨＤ用モニタ装置２０の輝度信号Ｙ入力端子２１ａ
色信号（Ｓ−Ｃ）  ・・・ＨＤ用モニタ装置２０の第１の色信号Ｐｂ入力端子２１ｂ
コンポジット信号（ＶＩＤＥＯ）
・・・ＨＤ用モニタ装置２０の第２の色信号Ｐｒ入力端子２１ｃ
そして、図１８に示すように、ＨＤ用モニタ装置２０の輝度信号Ｙ入力端子２１ａ、第１の色信号Ｐｂ入力端子２１ｂ及び第２の色信号Ｐｒ入力端子２１ｂのそれぞれは、同期信号ｓｙｎｃを検出するようになっている。
【０１１４】
このため、ＨＤ用モニタ装置２０の輝度信号Ｙ入力端子２１ａでは、ＳＤ映像信号の輝度信号（Ｓ−Ｙ）に同期信号ｓｙｎｃが含まれているため、このＳＤ映像信号の輝度信号（Ｓ−Ｙ）をＨＤ映像信号の輝度信号（Ｙ）として認識することになる。
【０１１５】
また、ＨＤ用モニタ装置２０の第１の色信号Ｐｂ入力端子２１ｂでは、ＳＤ映像信号の色信号（Ｓ−Ｃ）が入力されても同期信号ｓｙｎｃが含まれていないため、色信号（Ｓ−Ｃ）を、青成分である第１の色信号（Ｐｂ）として認識をしないことになる。
【０１１６】
更に、ＨＤ用モニタ装置２０の第２の色信号Ｐｒ入力端子２１ｃは、ＳＤ映像信号のコンポジット信号（ＶＩＤＥＯ）には同期信号ｓｙｎｃが含まれているため、このＳＤ映像信号のコンポジット信号（ＶＩＤＥＯ）を、赤成分であるＨＤ映像信号の第２の色信号（Ｐｒ）として認識することになる。
【０１１７】
結果として、ＨＤ用モニタ装置２０は、ＳＤ映像信号の輝度信号（Ｙ）及び第２の色信号（Ｐｒ）を認識することになり、赤い画像を表示することになる。一般的に、赤は、警告の際に多く用いられる色であるから、ユーザは、誤ったケーブルを接続してしまったことを、ＨＤ用モニタ装置２０を見ることによって知ることができる。
【０１１８】
なお、ＨＤ用モニタ装置２０では、図１９に示すように、一定幅以上の振幅を有する同期信号が入力されたとき、輝度信号（Ｙ）、第１の色信号（Ｐｂ）、第２の色信号（Ｐｒ）を認識する。したがって、ＨＤ映像信号用のケーブル接続装置３０とＨＤ用モニタ装置２０との間でプラグの差込を誤った場合にも、以下に示すような場合には、ＨＤ用モニタ装置２０では、赤以外の色を表示することになる。
【０１１９】
輝度信号（Ｓ−Ｙ）・・・ＨＤ用モニタ装置２０の輝度信号Ｙ入力端子２１ａ
色信号（Ｓ−Ｃ）  ・・・ＨＤ用モニタ装置２０の第２の色信号Ｐｒ入力端子２１ｃ
コンポジット信号（ＶＩＤＥＯ）
・・・ＨＤ用モニタ装置２０の第１の色信号Ｐｂ入力端子２１ｂ
この場合、同期信号を有するコンポジット信号（ＶＩＤＥＯ）は、第１の色信号Ｐｂ入力端子２１ｂに入力されるので、ＨＤ用モニタ装置２０には、青色の画面が表示される。このような場合にも、ユーザは、ＨＤ用モニタ装置２０に正常でない画像が表示されることから、誤ったケーブルを接続してしまったことを、ＨＤ用モニタ装置２０を見ることによって知ることができる。
【０１２０】
なお、ＨＤ用モニタ装置２０は、図１９に示すように、映像信号の領域Ｘ中の輝度信号（Ｓ−Ｙ）の振幅が大きいほど明るい映像を表示し、コンポジット信号（ＶＩＤＥＯ）の振幅が大きいほど赤い又は青い画面を表示することになる。
【０１２１】
また、コンポジット信号（ＶＩＤＥＯ）がＨＤ用モニタ装置２０の輝度信号Ｙ入力端子２１ａが入力され、輝度信号（Ｓ−Ｙ）が第１の色信号Ｐｂ入力端子２１ｂ又は第２の色信号Ｐｒ入力端子２１ｃに入力されることになる。この場合、輝度信号Ｙ入力端子２１ａは、クロマ成分を輝度信号として認識するため、全体としてギラついた画像が表示されることになる。このような場合にも、ユーザは、ＨＤ用モニタ装置２０に正常でない画像が表示されることから、誤ったケーブルを接続してしまったことを、ＨＤ用モニタ装置２０を見ることによって知ることができる。
【０１２２】
（６）ＨＤ映像信号用のケーブル接続装置３０の変形例
以上の例では、ＨＤ映像信号用のケーブル接続装置３０に関し、ＨＤ用モニタ装置２０との接続にＲＣＡプラグを用いた場合を説明したが、ＨＤ用モニタ装置２０との接続には、図２０に示すように、Ｄ端子プラグ２２を用いても良い。このＤ端子プラグ２２は、ＨＤ用モニタ装置２０のＤ端子２３に接続される。この方式では、ＨＤコンポーネント映像信号（Ｙ、Ｐｂ、Ｐｒ）とＲチャンネルとＬチャンネルのオーディオ信号と１つのコネクタ接続で行うことができ、ＲＣＡの場合よりプラグ数を減らすことができる。
【図面の簡単な説明】
【０１２３】
【図１】本発明が適用されるＨＤ映像信号とＳＤ映像信号の表示システムを示す図である。
【図２】（Ａ）は、ＨＤ映像信号用のケーブル接続装置のマルチプラグを背面側から見た斜視図であり、（Ｂ）は、背面図である。
【図３】ＨＤ映像信号用のケーブル接続装置のマルチプラグを正面側から見た斜視図である。
【図４】ＨＤ映像信号用のケーブル接続装置のマルチプラグの分解斜視図である。
【図５】（Ａ）及び（Ｂ）は、ＨＤ映像信号用のケーブル接続装置のマルチプラグのピン配置を示す図である。
【図６】端子部材の側面図である。
【図７】端子部材の背面図である。
【図８】端子部材にケーブルが接続された状態を示す斜視図である。
【図９】図８の状態にインナーモールドが設けられた状態を示す斜視図である。
【図１０】マルチプラグの外筐となるケースをモールド成型するための第１の金型を示す斜視図である。
【図１１】第１の金型と第２の金型とが型締めされた状態のケーブル配置部の断面図である。
【図１２】（Ａ）及び（Ｂ）は、ＳＤ映像信号用のケーブル接続装置のマルチプラグのピン配置を示す図である。
【図１３】ＨＤビデオカメラ装置のジャックのピン配置を示す図である。
【図１４】ＨＤビデオカメラ装置のブロック図である。
【図１５】ＨＤビデオカメラ装置のジャックに接続されたケーブル接続装置の種類を検出し、ＨＤ映像信号又はＳＤ映像信号を出力するまでの処理手順を示すフローチャートである。
【図１６】ＳＤビデオカメラ装置のブロック図である。
【図１７】ＳＤビデオカメラ装置のジャックに接続されたケーブル接続装置の種類を検出し、ＳＤ映像信号を出力するまでの処理手順を示すフローチャートである。
【図１８】ＳＤ映像信号とＨＤコンポーネント映像信号との関係を示す図である。
【図１９】映像信号の振幅を示す図である。
【図２０】ＨＤ映像信号用のケーブル接続装置の変形例を示す図である。
【符号の説明】
【０１２４】
１０ ＨＤビデオカメラ装置、１１  ジャック、２０  ＨＤ用モニタ装置、３０  ＨＤ映像信号用のケーブル接続装置、４０  ＳＤビデオカメラ装置、５０  ＳＤ用モニタ装置、６０  ＳＤ映像信号用のケーブル接続装置、３０１  第１のケーブル複合体、３０１ａ〜３０１ｃ  第１乃至第３のケーブル、３０２  第２のケーブル複合体、３０２ａ  第４のケーブル、３０２ｂ  第５のケーブル、３０３  ＲＣＡプラグ、３０３ａ  Ｙプラグ、３０３ｂ  Ｐｂプラグ、３０３ｃ  Ｐｒプラグ、３０３ｄ  Ｌｃｈオーディオプラグ、３０３ｅ  Ｒｃｈオーディオプラグ、３０４  マルチプラグ、３０５ａ，３０５ｂ  谷部、３０６  ケース、３０６ａ  本体部、３０６ｂ  導出部、３０６ｃ  スリット、３０７  支持部、３０８  外側谷部、３０９  閉塞部、３１１  端子部材、３１２  シェル、３１３  端子部、３１４  接続部、３１５  第１の段差部、３１６  第１の段差部、３１７  接続端子、３１８  抵抗素子、３１９  筒部、３２０  アーム、３２１  インナーモールド
【図１】
0004595991.tif 000002
【図２】
0004595991.tif 000003
【図３】
0004595991.tif 000004
【図４】
0004595991.tif 000005
【図５】
0004595991.tif 000006
【図６】
0004595991.tif 000007
【図７】
0004595991.tif 000008
【図８】
0004595991.tif 000009
【図９】
0004595991.tif 000010
【図１０】
0004595991.tif 000011
【図１１】
0004595991.tif 000012
【図１２】
0004595991.tif 000013
【図１３】
0004595991.tif 000014
【図１４】
0004595991.tif 000015
【図１５】
0004595991.tif 000016
【図１６】
0004595991.tif 000017
【図１７】
0004595991.tif 000018
【図１８】
0004595991.tif 000019
【図１９】
0004595991.tif 000020
【図２０】
0004595991.tif 000021